(57)【特許請求の範囲】
【請求項１】
略水平方向を向くスクリーンバーを複数本上下に並列に水路を塞ぐように設置し、これによって複数本のスクリーンバーの正面に漂着する塵芥の水路内への侵入を阻止するスクリーンと、
前記スクリーンの背面側から隣接するスクリーンバー間に挿入されるレーキ爪を有し、前記スクリーンの始端位置側において前記スクリーンバー間に挿入したレーキ爪をこのスクリーンの面に沿って移動することでスクリーンの正面に漂着した塵芥を排除し終端位置側において略半円状に反転してスクリーンバー間から抜き出して再び元の始端位置側に戻って反転して前記動作を繰り返すレーキと、を具備する横掻き式自動除塵機であって、
前記スクリーンバーは、その終端位置側において、反転するレーキの移動軌跡と平行に９０°以上円弧状に湾曲した後に前記レーキの移動軌跡から離れる方向に向かう形状に形成され、これによって前記レーキ爪を徐々に前記スクリーンバー間から抜き出すことを特徴とする横掻き式自動除塵機。
【請求項２】
請求項１に記載の横掻き式自動除塵機であって、
前記レーキ爪の前記隣接するスクリーンバー間に挿入される部分をその前面がレーキ爪の進行方向に向かって後傾する塵芥押出部とし、さらに前記レーキ爪の前記隣接するスクリーンバー間から正面側に突出する先端部分をその前面が前記塵芥押出部の前面に対して進行方向に向かって前傾する塵芥保持部としたことを特徴とする横掻き式自動除塵機。
【請求項３】
請求項２に記載の横掻き式自動除塵機であって、
前記スクリーンバーの終端位置近傍に、隣接するスクリーンバー間の隙間を狭くしてなる塵芥押出ガイド部を設け、この塵芥押出ガイド部に至った隣接するスクリーンバー間の塵芥をレーキ爪の塵芥押出部と協働させてスクリーンの正面側に押し出すことを特徴とする横掻き式自動除塵機。
【請求項４】
請求項１に記載の横掻き式自動除塵機であって、
前記スクリーンの両端はスクリーン支柱に保持されており、
終端側のスクリーン支柱はスクリーンを回動自在に保持し、
始端側のスクリーン支柱はスクリーンを着脱自在に保持し、
前記始端側のスクリーン支柱からスクリーンを外して終端側のスクリーン支柱を中心に回動することでスクリーンを開くことによって、スクリーンを通さずに水路に水を導入することを特徴とする横掻き式自動除塵機。
【請求項５】
請求項１に記載の横掻き式自動除塵機であって、
前記横掻き式自動除塵機は、水路の底面に設置した除塵機設置架台上に載置されており、
少なくともこの除塵機設置架台を中空とすることで水中において浮力を生じさせることを特徴とする横掻き式自動除塵機。
【発明の詳細な説明】
【技術分野】
【０００１】
本発明は、排水機場等に設置される横掻き式自動除塵機に関するものである。
【背景技術】
【０００２】
従来、例えば台風や集中豪雨、雷雨等によって河川が増水したとき、その河川に接続した取水水路に前記増水した水を導き、ポンプによって別の河川等に強制的に排水することが行われている。取水水路には、河川を流れる塵芥がポンプに吸い込まれないようにするため、自動除塵機が設置される。
【０００３】
自動除塵機としては種々の構成のものが提案されており、例えばスクリーンバーを縦方向に複数本並列に水路を塞ぐように設置してスクリーンを構成し、各スクリーンバーの間にレーキ爪を挿入して下から上に向かって移動させ、これによってスクリーンの正面に漂着した塵芥を掻揚げる掻揚げ構造のものがある。
【先行技術文献】
【特許文献】
【０００４】
【特許文献１】特開２００６−３１６５６１号公報
【特許文献２】特開２００２−２８５５２７号公報
【発明の概要】
【発明が解決しようとする課題】
【０００５】
しかしながら上記掻揚げ構造の自動除塵機は、スクリーンの正面に漂着した塵芥を掻揚げるので、大きな動力を必要とするばかりか装置が大型化し、コスト高になってしまい、また掻揚げた塵芥を処分するための費用も発生する。
【０００６】
これに対して水平方向を向くスクリーンバーを複数本並列に水路を塞ぐように設置してスクリーンを構成し、各スクリーンバーの間にレーキ爪を挿入して水平方向に向かって移動させ、これによってスクリーンの正面に漂着した塵芥を水の流れに沿って右（左）から左（右）に受け流す横掻き構造の自動除塵機が考えられる。
【０００７】
この横掻き構造の自動除塵機によれば、スクリーンに漂着した塵芥を河川の流れ方向にそのまま受け流すことができるので動力が小さくて済み、装置を小型化でき、低コスト化が図れるばかりか、塵芥を処分するための費用も発生しない。
【０００８】
しかしながら上記横掻き構造の自動除塵機において、塵芥をスクリーン上で右（左）から左（右）に移動した際（つまり下流側に向けて移動した際）、スクリーンの終端近傍まで移動してきた塵芥がそのままスクリーンの終端部近傍に取り付き下流側にスムーズに流れていかない場合があった。
【０００９】
本発明は上述の点に鑑みてなされたものでありその目的は、スクリーンの正面に漂着して取り付いた塵芥をスムーズに移送して下流側に放出できる横掻き式自動除塵機を提供することにある。
【課題を解決するための手段】
【００１０】
本発明にかかる横掻き式自動除塵機は、略水平方向を向くスクリーンバーを複数本上下に並列に水路を塞ぐように設置し、これによって複数本のスクリーンバーの正面に漂着する塵芥の水路内への侵入を阻止するスクリーンと、前記スクリーンの背面側から隣接するスクリーンバー間に挿入されるレーキ爪を有し、前記スクリーンの始端位置側において前記スクリーンバー間に挿入したレーキ爪をこのスクリーンの面に沿って移動することでスクリーンの正面に漂着した塵芥を排除し終端位置側において略半円状に反転してスクリーンバー間から抜き出して再び元の始端位置側に戻って反転して前記動作を繰り返すレーキと、を具備する横掻き式自動除塵機であって、前記スクリーンバーは、その終端位置側において、反転するレーキの移動軌跡と平行に９０°以上円弧状に湾曲した後に前記レーキの移動軌跡から離れる方向に向かう形状に形成され、これによって前記レーキ爪を徐々に前記スクリーンバー間から抜き出すことを特徴とする。
この横掻き式自動除塵機は、レーキ爪を徐々にスクリーンバー間から抜き出すので、レーキ爪の先端部分で保持していた塵芥がレーキ爪から外れ易くなり（言い換えれば塵芥がスクリーンに巻き込まれにくくなり）、塵芥のスクリーンからの離脱（放出）が容易になる。
このときスクリーンの正面側の水がスクリーンの始端側から終端側に向けて流れているとすると、スクリーンに漂着した塵芥を下流側にスムーズに受け流していくことができる。またスクリーンのレーキ爪がスクリーンバー間から抜き出される終端位置近傍はスクリーンバーが９０°以上円弧状に湾曲した後の位置なので、この位置においては水の流れが塵芥をスクリーンから引き離す方向に作用するので、この点からも塵芥のスクリーンからの離脱を促すことができる。
【００１１】
また本発明は、前記レーキ爪の前記隣接するスクリーンバー間に挿入される部分をその前面がレーキ爪の進行方向に向かって後傾する塵芥押出部とし、さらに前記レーキ爪の前記隣接するスクリーンバー間から正面側に突出する先端部分をその前面が前記塵芥押出部の前面に対して進行方向に向かって前傾する塵芥保持部としたことを特徴とする。これによって隣接するスクリーンバー間に詰まっている塵芥がレーキ爪の後傾した塵芥押出部によってスクリーンの正面側にスムーズに押し出される。またスクリーンの正面側に押し出された塵芥はレーキ爪の後傾していない（又は後傾角度の小さい）塵芥保持部によって確実に保持され、スクリーンの終端側に向かってスムーズに移動する。
【００１２】
また本発明は、前記スクリーンバーの終端位置近傍に、隣接するスクリーンバー間の隙間を狭くしてなる塵芥押出ガイド部を設け、この塵芥押出ガイド部に至った隣接するスクリーンバー間の塵芥をレーキ爪の塵芥押出部と協働させてスクリーンの正面側に押し出すことを特徴とする。塵芥押出ガイド部を設けたので、前記レーキ爪の塵芥押出部と協働してより効果的に隣接するスクリーンバー間に詰まっている塵芥をスクリーンの正面側に押し出すことができ、スクリーンから離脱させることができる。
【００１３】
また本発明は、前記スクリーンの両端がスクリーン支柱に保持されており、終端側のスクリーン支柱はスクリーンを回動自在に保持し、始端側のスクリーン支柱はスクリーンを着脱自在に保持し、前記始端側のスクリーン支柱からスクリーンを外して終端側のスクリーン支柱を中心に回動することでスクリーンを開くことによって、スクリーンを通さずに水路に水を導入することを特徴とする。例えば洪水等で増水した緊急時に前記横掻き式自動除塵機が故障するなどしてスクリーンに塵芥が詰まったような場合、水路に設置したポンプによる排水が行えなくなる恐れがあるが、スクリーンを開くことで、スクリーンを通さずに直接水路に水を導入することでポンプによる排水を行うことが可能になる。
【００１４】
また本発明において、前記横掻き式自動除塵機は、水路の底面に設置した除塵機設置架台上に載置されており、少なくともこの除塵機設置架台を中空とすることで水中において浮力を生じさせることを特徴とする。即ち横掻き式自動除塵機を設置する躯体の経年劣化や荷重条件が低いことを考慮して、横掻き式自動除塵機を浮力によって軽量化し、これによって躯体への負荷を低減することができる。
【発明の効果】
【００１５】
本発明にかかる横掻き式自動除塵機によれば、スクリーンの正面に漂着して取り付いた塵芥をスムーズに移送して下流側に放出させることができる。
【図面の簡単な説明】
【００１６】
【図１】横掻き式自動除塵機１の概略平面図である。
【図２】図１のＡ−Ａ概略矢視図である。
【図３】図１のＢ−Ｂ概略矢視図である。
【図４】レーキ５０を示す図であり、図４（ａ）は平面図、図４（ｂ）は図４（ａ）のＣ−Ｃ断面図である。
【図５】１つのレーキ５０の終端側部分における移動軌跡を示す図である。
【図６】図６（ａ），（ｂ），（ｃ）はそれぞれ図５のＤ，Ｅ，Ｆ部分でのスクリーンバー１１の一部断面図である。
【図７】スクリーン１０を開いた状態の横掻き式自動除塵機１の概略平面図である。
【発明を実施するための形態】
【００１７】
以下、本発明の実施形態を図面を参照して詳細に説明する。
図１は本発明の一実施形態にかかる横掻き式自動除塵機１の概略平面図、図２は図１のＡ−Ａ概略矢視図、図３は図１のＢ−Ｂ概略矢視図である。これらの図に示すように横掻き式自動除塵機１は、河川等（水路）２に接続した取水水路（水路）３の入口部分に設置されている。
【００１８】
取水水路３は河川等２に対して略垂直に接続されており、河川等２の流れの一部を取水して取水水路３の下流側に設置した排水機場の図示しないポンプによって例えば別の河川等にその水を排水するように構成されている。取水水路３は底面５とその左右両側壁７，９等からなるコンクリート製の躯体によって構成されている。
【００１９】
横掻き式自動除塵機１は、スクリーン１０と、スクリーン１０の背面側に設置されるレーキ機構３０とを具備して構成されており、その上下には図２，図３に示す上部固定台１７と下部固定台１９が設置されている。
【００２０】
スクリーン１０は、略水平方向を向く複数本のスクリーンバー１１を上下に並列に所定間隔毎に取水水路３の入口部分を塞ぐように設置して構成されている。スクリーンバー１１は始端部分（水路２の上流側端部）から終端側（水路２の下流側）に向けて直線状であり、終端近傍部分において前記直線形状から９０°以上円弧状に湾曲した後に、さらに湾曲部分の先端側（終端部分）を直線状に形成して構成されている。前記円弧は、下記するレーキ５０が駆動スプロケット３１によって反転する際のレーキ５０の移動軌跡と平行になる形状に形成され、また終端の直線部分は前記レーキ５０の移動軌跡から外方に離れる方向に向かっている。
【００２１】
スクリーンバー１１の始端部分は上下方向に向かって立設された上流側スクリーン支柱１３に着脱自在に取り付けられ、スクリーンバー１１の終端部分は上下方向に向かって立設された下流側スクリーン支柱１５に回動自在に取り付けられている。上流側スクリーン支柱１３と下流側スクリーン支柱１５は中空のパイプであって水中において浮力を生じるように構成されており、その上下は上部固定台１７と下部固定台１９に取り付けられている。下流側スクリーン支柱１５と側壁９の間にはサイドスクリーン２１が設置されている。サイドスクリーン２１は略水平方向を向く複数本の直線状のスクリーンバー２３を上下に並列に所定間隔毎に下流側スクリーン支柱１５と側壁９の間の隙間を塞ぐように設置されている。
【００２２】
レーキ機構３０は、駆動スプロケット３１と従動スプロケット３３の間にチェーン３５を巻き掛け、このチェーン３５の複数か所（この例では３か所）にレーキ５０を取り付けて構成されている。駆動スプロケット３１は、図２に示すように上下の位置に一対設置され、両者を連結する駆動軸３７を上部固定台１７と下部固定台１９に回動自在に軸支し、上部固定台１７上に設置した駆動モータ３９が駆動軸３７を回転駆動することによって回転駆動される。従動スプロケット３３も図２に示すように上下の位置に一対設置され、両者を連結する回転軸４１を上部固定台１７と下部固定台１９に回動自在に軸支している。チェーン３５は上下一対ずつの駆動スプロケット３１と従動スプロケット３３間にそれぞれ１本ずつ巻き掛けられている。また上下のチェーン３５の間に架け渡されるように、レーキ５０の両端部が取り付けられている。レーキ５０は３本であり、チェーン３５に対して等間隔に取り付けられている。
【００２３】
図４はレーキ５０を示す図であり、図４（ａ）は平面図、図４（ｂ）は図４（ａ）のＣ−Ｃ断面図である。同図に示すようにレーキ５０は、直線帯状の基部５１の一側辺から等間隔に櫛歯状のレーキ爪５３を突出して構成されている。各レーキ爪５３の間隔は、前記各スクリーンバー１１の間隔と同一であり、図４（ａ）に点線で示す位置に各スクリーンバー１１が挿入される。各レーキ爪５３は図４（ｂ）に示すように、基部５１の一側辺から屈曲する塵芥押出部５５と、塵芥押出部５５の先端から屈曲する塵芥保持部５７とを具備している。塵芥押出部５５はレーキ爪５３の隣接するスクリーンバー１１の間に挿入される部分に位置しており、少なくともその前面（レーキ爪５３の進行方向側を向く面）５５ａは後方に向けて傾斜する（つまり後傾する）傾斜面となっている。傾斜角度は２０°〜４５°が好ましいが、他の角度であっても良い。一方塵芥保持部５７はレーキ爪５３の隣接するスクリーンバー１１の間から正面側に突出した先端部分であり、少なくともその前面５７ａを前記塵芥押出部５５の前面５５ａよりも前方に向けて傾斜する（つまり前傾する）ように屈曲している。具体的にこの例では、塵芥保持部５７の前面５７ａは前記基部５１の面と平行であり、スクリーン１０から垂直に突出するように構成されている。
【００２４】
そしてレーキ機構３０は図１に示すように、スクリーン１０の背面側に設置され、これによって各スクリーンバー１１の間から突出するレーキ爪５３をスクリーンバー１１の始端側から終端側（上流側から下流側）に向けて移動させるようにしている。
【００２５】
以上のように構成されている横掻き式自動除塵機１は、複数本（この例では４本）の角柱状の除塵機設置架台６０（図１に点線で示す）上に載置されている。除塵機設置架台６０は図２に示すように、その一端側の部分が取水水路３の底面５の先端部上にアンカーボルトなどによって固定されており、他端側が河川等２内に張り出している。この除塵機設置架台６０は中空とすることで水中において浮力を生じるように構成されている。なお図２には図１に示す４本の除塵機設置架台６０の内の最も下流側の１本のみを示している。
【００２６】
そして例えば台風や大雨等によって河川等２が増水したとき、河川等２に接続した取水水路３に前記増水した水の一部を導き、図示しないポンプによって別の河川等に強制的に排水する。取水水路３には河川等２の水が吸い込まれるため、河川等２を流れてきた塵芥も取水水路３に入り込もうとしてスクリーン１０の正面に漂着するが、これら塵芥はスクリーン１０によって取水水路３内への侵入が阻止され、ポンプに塵芥が吸い込まれることはない。そして自動除塵機１を駆動すれば、駆動モータ３９によって駆動スプロケット３１が回転して従動スプロケット３３とチェーン３５が回転し、チェーン３５に取り付けたレーキ５０がチェーン３５の軌跡に沿って回転する。これによってスクリーン１０の始端位置側においてスクリーンバー１１の間に挿入されてその先端がスクリーン１０から突出したレーキ爪５３がこのスクリーン１０の面に沿って移動することで、スクリーン１０に漂着した塵芥がスクリーン１０の正面を下流側に向かって移送される。このとき河川等２を流れる水はスクリーン１０の始端側から終端側に向けて流れているので、レーキ爪５３に掻き取られた塵芥は河川等２の下流側にスムーズに受け流されていく。そしてレーキ爪５３は終端位置側において略半円状に反転していく間にスクリーンバー１１の間から抜け出し、元の始端位置側に戻ってゆき、再び従動スプロケット３３によって反転して前記動作を繰り返す。
【００２７】
ところでこの横掻き式自動除塵機１によれば、塵芥を効果的且つスムーズにスクリーン１０から離脱（放出）させることができる。以下説明する。図５は１つのレーキ５０の終端側部分における移動軌跡を示す図である。即ち同図に示すように、隣接するスクリーンバー１１の間に詰まっている塵芥ａ１は、レーキ爪５３の後傾している塵芥押出部５５によってスクリーン１０の正面側に押し出される。さらにスクリーン１０の正面側に押し出された塵芥ａ１はレーキ爪５３の後傾していない（スクリーン１０から垂直に突出する）塵芥保持部５７によって確実に保持され、スクリーン１０の終端側に向かって移送される。もしレーキ５０の塵芥押出部５５の部分が後傾していないとすると、スクリーンバー１１の間に挟まっている塵芥ａ１はスクリーンバー１１の間に挟まった状態のまま下流側に移送されることとなり、容易に塵芥ａ１をスクリーン１０から放出することができない。またもしレーキ５０の塵芥保持部５７が塵芥押出部５５の後傾形状に合わせて同様に後傾していたら、スクリーンバー１１の間に挟まっていた塵芥ａ１をスクリーン１０の正面側に押し出すことはできるが、塵芥保持部５７が後傾しているために押し出した塵芥ａ１を保持して移送する力は弱く、効果的にスクリーン１０正面上の塵芥ａ１を下流側に搬送できなくなる恐れがある。これに対して上記横掻き式自動除塵機１は、上述のようにこのような問題を同時に解決し、塵芥をスムーズにスクリーン１０の間から押し出し且つ移送することができる。
【００２８】
次に図５に示すように、スクリーンバー１１は、その終端位置側において、反転するレーキ５０の移動軌跡と平行に９０°以上（この例では１２５°程度）円弧状に湾曲した後にレーキ５０の移動軌跡から離れる方向に直線状に向かう形状に形成されている。このためレーキ爪５３がスクリーンバー１１の間から背面側に向けて抜け出していく最初から最後までの距離を長く取ることができる。つまりレーキ爪５３を徐々にスクリーンバー１１の間から抜き出していくことになり、これによってレーキ爪１１の先端部分（塵芥保持部５７）で保持していた塵芥ａ１がレーキ爪５３から外れ易くなり（言い換えれば塵芥ａ１がスクリーン１０に巻き込まれにくくなり）、塵芥ａ１のスクリーン１０からの離脱（放出）が容易になる。さらにこの終端位置近傍はスクリーンバー１１が９０°以上円弧状に湾曲した後の位置なので、この位置においては水の流れが塵芥ａ１をスクリーン１０から引き離す方向に作用し、この点からも塵芥ａ１のスクリーン１０からの離脱が促される。
【００２９】
つまりこの横掻き式自動除塵機１によれば、スクリーンバー１１の間に挟まった塵芥ａ１をスクリーン１０の正面側に押し出し、押し出した塵芥ａ１を保持したままスクリーン１０の最も下流側近傍である円弧状に回転する端部位置まで移動させ、その後スムーズに塵芥ａ１からレーキ爪５３を引き抜き、スクリーン１０から引き離す方向の水の流れに乗せてこの塵芥ａ１をスムーズにスクリーン１０から離脱・放出させていくことができる。
【００３０】
図６（ａ）は図５のＤ部分でのスクリーンバー１１の一部断面を示し、図６（ｂ）は図５のＥ部分でのスクリーンバー１１の一部断面を示し、図６（ｃ）は図５のＦ部分でのスクリーンバー１１の一部断面を示している。即ちこの例ではスクリーンバー１１の終端位置近傍（具体的にはスクリーンバー１１が９０°円弧状に湾曲した位置以降）において、スクリーンバー１１の幅を背面側に向けてテーパ状に広げる塵芥押出ガイド部１１ａを設けることで、隣接するスクリーンバー１１間の隙間を狭くしている。さらに塵芥押出ガイド部１１ａの幅は、スクリーンバー１１の終端に向かって徐々に大きくなるように構成している。
【００３１】
隣接するスクリーンバー１１間の隙間を狭くすれば、この塵芥押出ガイド部１１ａに至った隣接するスクリーンバー１１間の塵芥をレーキ５０の塵芥押出部５５と協働してスクリーン１０の正面側に押し出す力が強くなる。これによって塵芥押出部５５を設けただけの場合に比べてより効果的に隣接するスクリーンバー１１間に詰まっている塵芥をスクリーン１０の正面側に押し出すことができ、スクリーン１０から離脱させることができるようになる。特にこの例のようにスクリーンバー１１の正面から背面に向かってその幅をテーパ状に広げ、且つスクリーン１０の終端に向かってスクリーンバー１１間の隙間を徐々に狭くするように構成すれば、より効果的である。
【００３２】
但し塵芥押出ガイド部１１ａの幅をスクリーンバー１１の終端に向かって拡大せずに一定にしておいても良い。またスクリーンバー１１の幅を正面から背面に向かってテーパ状に広げず、左右両面平行のまま幅を広げた塵芥押出ガイド部としてスクリーンバー１１間の隙間を狭くしても良い。このように構成してもスクリーンバー１１間に詰まっている塵芥をスクリーン１０の正面側に押し出す力を強くできる。
【００３３】
ところで例えば洪水等で増水した緊急時に前記横掻き式自動除塵機１が故障するなどしてスクリーン１０に塵芥が詰まったような場合、取水水路３に設置したポンプによる排水が行えなくなる恐れがある。このような場合は、図７に示すように、スクリーン１０の始端部分を上流側スクリーン支柱１３から外し、下流側スクリーン支柱１５を中心にスクリーン１０を回動することでスクリーン１０を開き、これによってスクリーン１０を通さずに取水水路３に直接河川等２側の水を導入することでポンプによる排水を行うことが可能になる。つまり緊急時には取水水路３に塵芥が侵入してポンプがこれを吸い込んでもやむを得ないと考える。なお、スクリーン１０全体を回動可能にする代りに、所定本数のスクリーンバー１１のみを回動可能に構成しても良い。
【００３４】
なお上述のように、除塵機設置架台６０と上流側スクリーン支柱１３と下流側スクリーン支柱１５は、中空のパイプであって水中において浮力を生じさせるので、横掻き式自動除塵機１を浮力によって軽量化できる。つまり横掻き式自動除塵機１を設置する躯体の経年劣化や荷重条件が低いことを考慮して、躯体への負荷を低減することができる。
【００３５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造であっても、本願発明の作用・効果を奏する以上、本願発明の技術的思想の範囲内である。例えば、上記例では本発明に係る横掻き式自動除塵機１を排水機場の取水水路３の入口部分に設置した例を示したが、他の各種用途（浄水場の取水水路、発電所の取水水路、工場用水の取水水路、農業用水の取水水路等）に使用しても良い。
【００３６】
また上記横掻き式自動除塵機１ではスクリーンバー１１の終端側の９０°以上円弧状に湾曲した後の部分を直線状に形成したが、この部分は曲線状でも良く、要はレーキ５０の移動軌跡から離れる方向に向かう形状であればよい。
【００３７】
また上記横掻き式自動除塵機１では除塵機設置架台６０と上流側スクリーン支柱１３と下流側スクリーン支柱１５を中空のパイプであって水中において浮力を生じさせる構造としたが、除塵機設置架台６０のみを中空で浮力を生じる構造としても良く、または上記以外の各種横掻き式自動除塵機１を構成する部品を中空で浮力を生じる構造としても良い。
【符号の説明】
【００３８】
１  横掻き式自動除塵機
２  河川等（水路）
３  取水水路（水路）
５  底面
７，９  側壁
１０  スクリーン
１１  スクリーンバー
１３  上流側スクリーン支柱
１５  下流側スクリーン支柱
１７  上部固定台
１９  下部固定台
２１  サイドスクリーン
２３  スクリーンバー
３０  レーキ機構
３１  駆動スプロケット
３３  従動スプロケット
３５  チェーン
３７  駆動軸
３９  駆動モータ
４１  回転軸
５０  レーキ
５１  基部
５３  レーキ爪
５５  塵芥押出部
５５ａ  前面
５７  塵芥保持部
５７ａ  前面
６０  除塵機設置架台
ａ１  塵芥
【図１】
0005812906.tif 000002
【図２】
0005812906.tif 000003
【図３】
0005812906.tif 000004
【図４】
0005812906.tif 000005
【図５】
0005812906.tif 000006
【図６】
0005812906.tif 000007
【図７】
0005812906.tif 000008